Podtech/llm-jp-corpus-v4-ja_patent huggingface dataset:
(57)【要約】      （修正有）【課題】誕生日を１ページ目起点としてのページ構成がし易い工夫が為されている連用日記帳を提供する。【解決手段】誕生日を起点として１日を１ページ、１年３６６日を構成する連用日記帳において、起点となる誕生日第一日目を含む４ページと３６６日目の最終ページとなる起点の前日を含む４ページの編集組替えのみで一冊がページ構成される。【選択図】図２
0003226322.tif 000002
【実用新案登録請求の範囲】
【請求項１】
誕生日を第一日目起点として暦が始まる連用日記帳。
【考案の詳細な説明】
【技術分野】
【０００１】  本考案は、連用日記帳に関する。
【考案の概要】
【０００２】  本考案は、記載する本人の誕生日を１ページ目起点として一年間を１冊に纏めた日記帳で、各ページの記載内容は通常の連用日記帳である。更に３６６日（閏年を含む）の何時の日からでも、容易に１ページ目を起点としてのページ構成がし易い工夫が為されている。
【考案が解決しようとする課題】
【０００３】  通常の連用日記帳は、１月１日を１ページ目起点として１年間３６６日（閏年を含む）を一冊として製本されている。誕生日を起点としたとき、一年の３６６日の何時の日でもが１ページ目となり、３６６通りのページ組み構成が発生する。８ページ或いは１６ページを１葉に配置し編集、印刷する方法ではページの組替えが複雑となる欠点がある。【０００４】  前項の問題を容易にするためには、各１日が最小限のページ組みとして独立している必要がある。最も単純な構成は、１日１葉のページ構成とすれば良いが、一年間３６６枚が１冊となるので厚くなる。そして無線綴じ、アジ口綴じなどと呼ばれる接着剤で背を固める製本となる。この製本方法では各ページのノドの根元が十分に開かいないので、日記帳として毎日の記載がし難い欠点がある。
製本上からみた連用日記帳の条件は、長年の耐用性と日々記載するページが書きやすいように確実に開く事である。【０００５】  これ等を図について説明すると、［図１］は通常の連用日記帳で、１年の始め（１）日記用紙の（２）月日欄のように１月１日から始まり、（５）日記用紙の（６）月日欄のように１２月３１日までの３６６日を一年となる。各ページには、（３）連用年号欄の各年号の（４）日記記載欄がある。
［図２］は、本考案の連用日記で、一例として２月１４日生まれを起点としての連用日記帳で（７）日記用紙から始まり（１０）日記用紙の（１７）月日欄、翌年の２月１３日までの３６６日で終了している。年の移変りは、（８）日記用紙から（９）日記用紙へと（１６）連用年号欄のように翌年に移っている。
【考案が解決するための手段】
【０００６】  本考案の目的を一冊の冊子として製本するために、［図３］に示すように印刷した（１８）日記用紙を２つ折し、折り山の（１９）背に（２０）和紙を糊付けした製本方法である。
【考案の実施形態】
【０００７】  ［図４］の本考案によると、１日１ページ構成で４ページ４日間を１葉の印刷用紙に両面印刷すると、３６６日では用紙は９２枚となる。例えば、これを四六判６４ｋｇ、厚さ８１μｍの上質紙を使用し印刷すると約１５ｍｍの厚さになる。表紙、見返しを加えて２０ｍｍ前後の扱い易い厚さの冊子として完成する事が出来る。
【考案の効果】
【０００８】  ［図５］は本考案の製本の開き状態を示す。製本した（１８）日記用紙に記入する時（２１）和紙によって、折り山のノドの根元まで開く事が出来るので記載し易い。製本の技術的可能であれば、１葉ずつの糸かがり綴じ製本でも良い。
【０００９】  更に、１日を１ページとし誕生日を起点として１年３６６日の構成に当たって、起点となる誕生日第１日目を含む４ページと３６６目の最終ページとなる起点の前日を含む４ページのみの編集組替えのみで、他のページはその必要がない。従って最小単位の編集組み替えのみで一冊のページ構成が容易となった。
【図面の簡単な説明】
【００１０】
【図１】  一般の連用日記構成図
【図２】  本考案の連用日記構成図
【図３】  本考案の連用日記製本図
【図４】  本考案の製本による、製本の開きが良い状態図
【符号の説明】
【００１１】（１）日記用紙、（２）月日欄、（３）連用年号欄、（４）日記記載欄、（５）日記用紙、（５）日記用紙、（７）日記用紙、（８）日記用紙、（９）日記用紙、（１０）日記用紙、（１１）月日欄、（１２）連用年号欄、（１３）日記記載欄、（１４）月日欄、（１５）月日欄、（１６）連用年号欄、（１７）月日欄、（１８）日記用紙、（１９）背、（２０）和紙、（２１）和紙
【図１】
0003226322.tif 000003
【図２】
0003226322.tif 000004
【図３】
0003226322.tif 000005
【図４】
0003226322.tif 000006
【手続補正書】
【提出日】令和2年2月14日(2020.2.14)
【手続補正１】
【補正対象書類名】実用新案登録請求の範囲
【補正対象項目名】全文
【補正方法】変更
【補正の内容】
【実用新案登録請求の範囲】
【請求項１】
誕生日を起点として１日を１ページ、１年３６６日を構成する連用日記帳において、起点となる誕生日第一日目を含む４ページと３６６日目の最終ページとなる起点の前日を含む４ページの編集組替えのみで一冊がページ構成される連用日記帳。。
(57)【要約】【課題】  この考案は、従来の熱気球・飛行船の機能が低く活用するのに制限があった欠点を除いて、通信・広告及び長期間飛行に活用できる気球飛行船を開発しようとするものである。【解決手段】  複数のマイラー（アルミ蒸着）バルーン（１）にヘリウムボンベ（２）よりヘリウムガスを充填して炭素繊維（カーボンファイバー）製リール（３）に括りつけ球皮口（４）より球皮（５）内に挿入する。ゴンドラ（６）内部にある電源（７）によりゴンドラ（６）外部に設置した複数のジェットファン（８）を駆動して空中へ浮遊する。ロープ（９）を杭（１０）より取り外し、高空へ飛行する。高度計（１１）とコントロールパネル（１２）を用いて、方向・昇降舵（１３）を操作して、一定空域に安全飛行する。【選択図】図１
0003226316.tif 000002
【実用新案登録請求の範囲】
【請求項１】
球皮内に複数のマイラー（アルミ蒸着）バルーンを含んで構成される気球飛行船であって、ゴンドラに設置した複数のジェットファンで駆動されることを特徴とする気球飛行船
【考案の詳細な説明】
【考案の詳細な説明】
【技術分野】
【０００１】  航空機分野
【背景技術】
【０００２】  従来、気密性の袋に熱した空気又は、空気よりも軽い不活性気体のヘリウムガスを充填して、空中に浮遊させていたが、熱気球・飛行船としての機能が低く、活用するのに制限があった。
【考案の開示】
【考案が解決しようとする課題】
【０００３】  本案は、その欠点を除いて、しかも機能を活かした気球飛行船を開発しようとするものである。
【課題を解決するための手段】
【０００４】  いま、その解決手段を図面を追いながら説明すれば
（イ）  複数のマイラー（アルミ蒸着）バルーン（１）にヘリウムボンベ（２）よりヘリウムガスを充填して炭素繊維（カーボンファイバー）製リール（３）に括りつけ球皮口（４）より球皮（５）内に挿入する。
（ロ）  ゴンドラ（６）内部にある電源（７）によりゴンドラ（６）外部に設置した複数のジェットファン（８）を駆動して空中へ浮遊する。ロープ（９）を杭（１０）より取り外し、高空へ飛行する。
（ハ）  高度計（１１）とコントロールパネル（１２）を用いて方向・昇降舵（１３）を操作して、一定空域に安全飛行する。
【考案の効果】
【０００５】  本案は、以上のような構造であるから、これを使用する事により、空中に浮遊する乗り物として、簡単に活用できる気球飛行船である。
【考案を実施するための最良の形態】
【実施例】
【０００６】  なお、本案の実施にあたって次の如きことができる。
（イ）  複数のマイラー（アルミ蒸着）バルーン（１）を球皮（５）内に挿入し、ゴンドラ（６）に設置した複数のジェットファン（８）を駆動して、空中へ安全飛行する事ができる。
【図面の簡単な説明】
【０００７】
【図１】  本考案の気球飛行船の正面図
【符号の説明】
【０００８】  （１）マイラー（アルミ蒸着）バルーン  （２）ヘリウムボンベ
（３）炭素繊維（カーボンファイバー）製リール  （４）球皮口
（５）球皮  （６）ゴンドラ  （７）電源  （８）ジェットファン
（９）ロープ  （１０）杭  （１１）高度計  （１２）コントロールパネル
（１３）方向・昇降舵
【図１】
0003226316.tif 000003
【手続補正書】
【提出日】令和2年2月22日(2020.2.22)
【手続補正１】
【補正対象書類名】実用新案登録請求の範囲
【補正対象項目名】全文
【補正方法】変更
【補正の内容】
【実用新案登録請求の範囲】
【請求項１】
球皮内に複数のマイラーバルーンを含んで構成される気球飛行船であって、ゴンドラに設置した複数のジェットファンで駆動されることを特徴とする気球飛行船
(57)【要約】【課題】肩や腰に負担のない弾性を利用した歩行補助具を提供すること。【解決手段】履物３の底部に固着される固定部１３とこの固定部から履物の両側面上部に延びる一対の支柱部１１，１２とを有する固定成型体１と、一対の支柱部の上端部にそれぞれの一端が連結された弾性を有する紐状部材２とから構成される。履物３を履いた状態で上記紐状部材２を履物または足の支柱部１１、１２より爪先方向前部に係合させることにより、歩行時に上記紐状部材２の弾性により足を上方に引き上げる作用を生じさせる。【選択図】図２
0003226318.tif 000002
【実用新案登録請求の範囲】
【請求項１】
履物の底部に固着される固定部とこの固定部から履物の両側面上部に延びる一対の支柱部とを有する固定成型体と、上記一対の支柱部の上端部にそれぞれ一端が連結された弾性を有する紐状部材とから構成され、履物を履いた状態で上記紐状部材を足または履物の支柱部より前方に係合させることにより、歩行時に上記紐状部材の弾性により足を上部に引き上げる作用を生じさせることを特徴とする歩行補助具。
【請求項２】
請求項１において、上記紐状部材は足または履物が係合される部分が輪状に形成されていることを特徴とする歩行補助具。
【考案の詳細な説明】
【技術分野】
【０００１】  本考案は、高齢者、脚力の弱い者等、自力で歩行することに支障を伴う人に対して、歩行が容易になるように補助するための歩行補助具に関する。
【背景技術】
【０００２】  歩行を補助するために階段の手摺りや杖の利用があるが、それらは手を使うものであり、それなりのエネルギーが必要となる。これに対し、特許文献１には、輪状の弾性部材を足底から腰または肩に掛けて、弾性力によって足を吊り上げるようにした歩行補助具が開示されている。また、本考案者は先に、特許文献２にあるように、特許文献１の歩行補助具を改良した健康歩行具を提案した。
【先行技術文献】
【特許文献】
【０００３】
【特許文献１】特開２００４−３３７５６１号公報
【特許文献２】実用新案登録第３２２３９５２号公報
【考案の概要】
【考案が解決しようとする課題】
【０００４】  特許文献１に記載された歩行補助具は、足を吊り上げる部材全体が輪状の弾性体からなるものであり、製作性及び身体への装着性に難点があるとともに、足を吊り上げる作用が不十分であり、実用化に難点がある。特許文献２に記載された健康歩行具はこの欠点を解決したものであるが、足を引き上げる力の反力が肩または腰に作用し、長時間使用した場合には肩や腰への負担が大きくなるという改善すべき点がある。
本考案の目的は従来技術の欠点を解決し、製作しやすく、身体への装着性が良好であり、足を吊り上げ歩行を補助する作用が発揮されるとともに、肩や腰への負担がない歩行補助具を提供することにある。
【課題を解決するための手段】
【０００５】  本考案の健康歩行具は、履物の底部に固着される固定部とこの固定部から履物の両側面上部に延びる一対の支柱部とを有する固定成型体と、上記一対の支柱部の上端部にそれぞれの一端が連結された弾性を有する紐状部材とから構成され、履物を履いた状態で上記紐状部材を足または履物の支柱部より前方に係合させることにより、歩行時に上記紐状部材の弾性により足を上方に引き上げる作用を生じさせることを特徴とする。好ましくは、紐状部材の足または履物との係合部は輪状に形成されていることを特徴とする。
【考案の効果】
【０００６】  本考案の歩行補助具を使用すれば、歩行の際、両足底を上方に引き上げる力が作用することにより、歩行に要する体力が軽減されるという効果がある。また、足底以外の身体部分に力が作用しないので、長時間使用しても肩や腰に負担となることがないという効果がある。
【図面の簡単な説明】
【０００７】
【図１】本考案の歩行補助具を示し、（ａ）は固定成型体、（ｂ）は弾性を有する紐状部材を示す。
【図２】本考案の歩行補助具の使用状態を示す図であり、（ａ）は側面から見た図、（ｂ）は前方から見た図を示す。
【考案を実施するための形態】
【０００８】  以下、図面を用いて本考案を実施するための形態例を説明する。図１（ａ）に示す固定成型体１は厚さが５ｍｍ〜１０ｍｍの硬質プラスチックスからなる。図において、１３は履物底部に固着される固定部、１１、１２は一対の支柱部である。これら支柱部の上端には、紐状部材を連結するための溝１４、１５が設けられている。固定部１３の幅（一対の支柱部の間隔）は６ｃｍ〜１０ｃｍである。支柱部１１、１２の長さは１５ｃｍ〜４０ｃｍである。
【０００９】  図１（ｂ）に示す紐状部材２は厚さ１ｍｍ〜２ｍｍ、幅２ｃｍ〜５ｃｍのゴムバンドからなる。この紐状部材は足または履物が挿入される環状部２３と環状部に連なる線状部２１、２２からなり、歩行補助具の使用に当たっては、線状部２１、２２の端部は支柱の溝１４、１５に連結される。溝への連結のため、これらの端部に小輪を形成しても良い。紐状部材の長さは、本歩行補助具を装着した状態でゴムバンドの弾性により足が上方に引き上げられるように、適宜調整される。
【００１０】  図２において、３は模式的に示した靴、サンダル、スリッパ等の履物である。固定成型体の底部１３が履物３の踵のやや前方底部に固着されている。固着方法としては接着剤、両面テープ等が使用できる。支柱１１、１２の端部の溝１４、１５に紐状部材の線状部２１、２２の一端が連結されている。線状部２１、２２の他端は環状部２３に連なり、環状部２３は固定部１３より爪先方向前部において履物３に係合されている。このとき、紐状部材の長さは、図２（ａ）に点線で示すように履物３が上方にやや変形する程度の弾性力が働くように調整される。この弾性力によって、歩行時に足が上方に引き上げられる作用が生じ、歩行が補助されるのである。本考案者の試行によれば、わずかな引き上げ力であっても、歩行が補助される効果があることが分かった。例えば、履物に足を入れない状態で、本考案による弾性力により、履物の先端が少なくとも２ｃｍ程度上方に上がるようであれば、歩行補助の効果がでることが分かった。
【００１１】  サンダルやスリッパ等履物の形状によっては、環状部２３は履物ではなく足に係合させても良い。また、環状部２３は線条部２１，２２と同様のゴムバンドで形成しても良い。あるいは、線条部２２、２３とは異なる非弾性の材料で形成しても良い。さらに、履物と容易に外れないようなフック等の係止手段を用いることにより、紐状部材２に環状部２３を形成しなくとも良い。
【符号の説明】
【００１２】１  固定成型体
２  紐状部材
３  履物
【図１】
0003226318.tif 000003
【図２】
0003226318.tif 000004
(57)【要約】      （修正有）【課題】正しい手洗い時間を実現でき、感染症予防に効果が期待できるタイマー機能付きソープディスペンサーを提供する。【解決手段】人感センサー部１でソープディスペンサーのソープ出口付近に差し出した人間の手を検知する。その検知信号を制御部２で一定量、もしくは一定時間、電動ポンプ部３を制御し、ソープを供給する。【選択図】図１
0003226970.tif 000002
【実用新案登録請求の範囲】
【請求項１】
ソープ供給によって起動するタイマーを有し、ラップタイムも含めた時間経過や終了を音や振動・光・表示器などで示す事ができるタイマー機能付きソープディスペンサー。
【考案の詳細な説明】
【技術分野】
【０００１】
本考案は、タイマー機能を有するソープディスペンサーに関するものである。
【考案の概要】
【考案が解決しようとする課題】
【０００２】
新型コロナウイルスなど感染症予報策の一つとして、正しい手洗い方法が厚生労働省などからも情報発信されている。その一つに３０秒以上の手洗いを推奨している。このことを実現するために、手洗い場に、砂時計やタイマーを配備して、手洗いごとにその起動操作をする必要がある問題点がある。
【０００３】
さらに、厚生労働省からの「手洗い」のパンフレットで「正しい手の洗い方」で工程も示されているが、それぞれの工程の移行は、砂時計などでは困難で感覚的に人間が判断する必要がある。
【課題を解決するための手段】
【０００４】
本考案は、ソープの供給で起動するタイマー機能をソープディスペンサーに付置することで、砂時計など他のタイマー起動操作をする問題点を解決しようとするものである。
【０００５】
また、タイマー動作でラップタイムを示すことができるようにすることで、手洗い工程で次行程への移行を示すことができ、各工程の時間管理の問題点を解決しようとするものである。
【考案の効果】
【０００６】
ソープ供給と連動したタイマーにより、正しい手洗い時間を実現でき、食中毒や新型コロナウイルスなどの感染症予防に効果が期待できる。
さらに、タイマー動作中に動揺やアニメソングなどの子供が好む音楽などを流すことで、子供が手洗いを楽しみながら行うことができる。
【図面の簡単な説明】
【０００７】
【図１】一般的なソープディスペンサーの機能ブロックを示す図である。
【図２】本考案のソープディスペンサーの機能ブロックを示す図である。
【実施例】
【０００８】
図１は、一般的なソープディスペンサーの機能ブロックを示す図である。
人感センサー部１でソープディスペンサーのソープ出口付近に差し出した人間の手を検知する。
その検知信号を制御部２で一定量、もしくは一定時間、電動ポンプ部３を制御し、ソープを供給する。
【０００９】
図２は、本考案のソープディスペンサーの機能ブロックを示す図である。一般的なソープディスペンサーに加え、タイマー部４と表示部５を有している。
人感センサー部１でソープディスペンサーのソープ出口付近に差し出した人間の手を検知し、その検知信号で制御部２で一定量、もしくは一定時間、電動ポンプ部３を制御し、ソープを供給するのは、一般的なソープディスペンサーの動作と同じであるが、制御部２からタイマー部４を起動し、手洗いを行っている人間に対し所定の時間手洗いを行うように表示部５から人間に示す。
【００１０】
手洗いを行っている人間に対し、手洗い時間を示す方法として、終了時間にのみアラーム音やバイブレーター、ランプで示す方法がある。
さらに、手洗い時間中、チャイムやその他メロディー送出、文字やピクトなどで示しても良い。
【００１１】
厚生労働省からの手洗いパンフレットで正しい手の洗い方では、6工程が示されており、この工程移行を促すために、ラップタイムでアラームを入れたり、メロディーを変化させてもよい。
【符号の説明】
【００１２】
１  人感センサー部
２  制御部
３  電動ポンプ部
４  タイマー部
５  表示部（ブザー、チャイム、音声スピーカー、バイブレーター、ランプ、文字ピクト表示など）
【図１】
0003226970.tif 000003
【図２】
0003226970.tif 000004
(57)【要約】      （修正有）【課題】商品のシーズン展開やロットの少量化展開などにとらわれることなく、商品収納箱の作製損失が全く生じることがない商品収納用上下箱を提供する。【解決手段】上箱と下箱からなる商品収納用の上下箱であり、上箱の頂面の一部に切り抜き窓７が形成されている。残留商品から、中箱に使ったロット名、シーズン名の記入された帯紙（または布やプラスチックフィルムなど）のみを処分すればよく、箱はそのまま次の新商品に使用することができる。【選択図】図１
0003226966.tif 000002
【実用新案登録請求の範囲】
【請求項１】
上箱と下箱からなる商品収納用の上下箱であり、上箱の頂面の一部に切り抜き窓が形成されていることを特徴とする上下箱。
【請求項２】
切り抜き窓に透明シートが貼り付けられている請求項１記載の上下箱。
【請求項３】
上下箱が寝装用品用である請求項１または２に記載の上下箱。
【請求項４】
上下箱がタオル用品用である請求項１〜３のいずれかに記載の上下箱。
【考案の詳細な説明】
【技術分野】
【０００１】
本考案は、紙箱やプラスチック箱など、商品収納に用いられる上下箱に関するものである。
【背景技術】
【０００２】
従来、販売商品の収納に用いられる箱は、商品を収納する下箱と、これに被せて商品を保護する上箱からなる分離型の上下箱が一般的に取り扱われている。
【０００３】
販売向けの商品を収納するに際しては、下箱に収納された商品を説明するための製造ロット、シーズン、銘柄等を、上箱の頂面に直接印刷貼りを行って表示をするのが一般的であった。
【０００４】
このような収納箱を用いる商品の販売に当たっては、販売見込み数量に見合った数を取り揃えるのであるが、消費動向の多様化を受けて各ロットの少量化を余儀なくされ、それでもなお売れ残しを生じることが避けられず、結果として多くの未使用箱の残が発生し、これらの残品箱の大部分は、次の新シーズンに持ち越すことができないため、廃棄処分をすることになり、原材料費の損失に伴う損金の発生、何よりも資源の浪費という環境問題を生じさせていた。
商品の製造販売者にとっては、これらの問題を解決することが強く求められていた。
公知の商品箱としては、たとえば包装用紙箱として特許文献１がある。
【先行技術文献】
【特許文献】
【０００５】
【特許文献１】実用新案登録第３２２４７５３号
【考案の概要】
【考案が解決しようとする課題】
【０００６】
本考案は、上記従来技術の課題解決に鑑み、販売商品収納の段階で、商品のシーズン展開やロットの少量化展開における残留廃棄箱の発生について全くとらわれることなく、商品収納箱の残が全く生じることのない新規な商品収納用上下箱を提供することを目的とする。
【課題を解決するための手段】
【０００７】
上記課題を解決する手段、すなわち本考案の構成は、上箱と下箱からなる商品収納用の上下箱であり、上箱を構成する頂面の一部に切り抜き窓が形成されていることを特徴とする上下箱である。
【０００８】
切り抜き窓に透明シートが張り付けられていることが好ましい。
【０００９】
上下箱が寝装用品用であることが好ましい。
【００１０】
上下箱がタオル用品用であることが好ましい。
【００１１】
本考案の上下箱は、代表的には、寝装用品、タオル製品等の布製々品の収納包装に用いるのが例示されるが、菓子包装などにも用いることができる。
【考案の効果】
【００１２】
本考案の上下箱は、販売商品の収納の段階で、ロットの少量化、シーズン毎の販売の数量の影響を受けることがなく、残留商品からは、中箱に使ったロット名、シーズン名の記入された帯紙（または布やプラスチックフィルムなど）のみを処分すればよく、箱はそのまま次の新商品に使用することができ、箱自体の処分は全く行うことなく廃棄処分、環境問題などが発生することのない極めて有用な収納箱が提供できる。
【図面の簡単な説明】
【００１３】
【図１】本考案の上下箱の実施態様を示す概略図である。
【図２】本考案の上下箱の実施態様を示す図面代用写真である。
【考案を実施するための形態】
【００１４】
以下実施例に基づいて、態様例を説明する。
【００１５】
本考案にいう上下箱は、代表的には紙箱であり、上下箱体が分離可能に重ね合わせられてなり、下箱の周壁外面に上箱の周壁内面を接して重ね合わせられるように形成されている。そして本考案の上箱の頂面の一部には任意形状・任意大きさ・任意数の切り抜き窓が形成されている。箱としては、紙製やプラスチックシート製などを例示できる。
【００１６】
図１は、本考案の上下箱の実施態様を示す。上箱２と下箱３からなる上下箱において、上箱２を構成する頂面４の一部に切り抜き窓７が形成されている。
【００１７】
本考案の上下箱の大きさは、特に限定はないが、通常の寝装用商品やタオル商品等のいかなる大きさにも適用可能であるが、たとえば、箱の厚み（高さ）は、２〜１５ｃｍ、縦長さ１０〜６０ｃｍ、横長さ１０〜６０ｃｍとするのが好ましい。切り抜き窓の形状、大きさ、数などは上箱の強度を損なわない程度とすることが好ましい。必要であれば透明シートで覆うこともできる。箱の外観は矩形状に限定されず、丸箱、楕円箱など種々のデザインを採用できる。
【００１８】
本考案において、上下箱に寝装用品あるいはタオル用品を収納するに際し、下箱に商品をセットした後、商品の上面に上記切り抜き窓の形状、大きさ、数に見合うようにデザインや銘柄等の商品説明を印刷した帯状物またはラベルを載せる。この上に上箱蓋を重ねてセットする。この時上箱の切り窓を通して帯又はラベルのデザイン等が外から見えることになる。例えば図２に示す本考案の実施態様写真図のようになる。
【符号の説明】
【００１９】
１：本考案の実施態様を示す上下箱
２：上箱
３：下箱
４：上箱頂面
５：上箱壁
６：下箱壁
７：切り抜き窓
８：本考案の上下箱の実施形態の写真図
【図１】
0003226966.tif 000003
【図２】
0003226966.tif 000004
(57)【要約】      （修正有）【課題】左綴じ右綴じのすべての書類を外すことなく、そのまま閲覧できる回覧板を提供する。【解決手段】両開き回覧板の左端中央と右端上部に書類を綴じ込む金具クリップを取り付け、左綴じ、右綴じの書類・パンフレット等をそのまま回覧できるようにした。また右側面に書類ポケット３を設け、住民の皆さんからの意見・相談等が気軽にできるようにした。【選択図】図２
0003226951.tif 000002
【実用新案登録請求の範囲】
【請求項１】
（１）  図面２の回覧板の両開き内側左端部▲１▼中央と右端部▲２▼上部に書類綴じ金具▲１▼▲２▼にクリップをつける。
（２）  図面２の右側部分▲３▼にビニールのポケット（Ａ−４）の用紙の出し入れる袋上開きをつけて町民の方からの意見等に利用する。
（３）  図面３は左綴じと右綴じの書類パンフレット等を取り付けた状態である。
（４）  図面２内側の書類綴じ金具の取り付け位置を中央の▲４▼▲５▼にも考えた結果書類がからみ合うので両端▲１▼▲２▼に考案した。
【考案の詳細な説明】
【技術分野】
【０００１】  本考案は、回覧板両開きの状態で▲１▼左端中央と▲２▼右端上部に書類を挟み込む金具のクリップを取り付ける。
両開き右側部分にビニールの書類を入れる▲３▼ポケット（Ａ−４）の用紙の出し入れが出来るようにつける。
【背景技術】
【０００２】  本考案は町内会等の広報手段として利用される回覧板に関するものである。
【考案の概要】
【考案が解決しようとする課題】
【０００３】  日本全国都道府県・市町村の町内会の回覧板が書類を挟み込むクリップが▲１▼左側一箇所しかなく左綴じ、右綴じの書類が左側に一緒に綴じて回覧されており、特に右綴じの文書・パンフレット等が一回一回取り出さないと見られなく不便を来たしている。
【課題を解決しようとする手段】
【０００４】  （１）▲１▼▲２▼左右両端に書類止めのクリップを取り付ける事によりすべての書類等を閲覧が出来るように前述の欠点を解決しようとするものである。
（２）現在の回覧板には▲３▼書類ポケットはなく、回覧板右側面にビニールの書類ポケットを取り付け（Ａ−４）用紙の出し入れができるようにして皆さんからの意見等をポケットに入れるよう設置した。
【考案の効果】
【０００５】  上述のように本考案の回覧板・書類を挟み込むクリップを▲１▼▲２▼２箇所及び右側板に書類ポケットを設けたのですべての書類がそのまま閲覧でき、特に高齢者が多くなる今日、悩みや色んな相談も気軽に▲３▼書類ポケットに入れて、安心して生活できるよう考案しました。
【図面の簡単な説明】
【０００６】
【図１】は本考案の外側の一例
【図２】は本考案の内側全体図の一例
【図３】は本考案の左右クリップに書類を綴じ込み書類を開いた図一例
【図１】
0003226951.tif 000003
【図２】
0003226951.tif 000004
【図３】
0003226951.tif 000005
【手続補正書】
【提出日】令和2年4月6日(2020.4.6)
【手続補正１】
【補正対象書類名】実用新案登録請求の範囲
【補正対象項目名】全文
【補正方法】変更
【補正の内容】
【実用新案登録請求の範囲】
【請求項１】
両開き回覧板であって、開いた状態における左側部分左端部中央と右側部分の右端部の上部に書類綴じ金具としてのクリップを有し、右側部には上開き透明のビニールのポケットを有することを特徴とする両開き回覧板。
【手続補正２】
【補正対象書類名】明細書
【補正対象項目名】０００４
【補正方法】変更
【補正の内容】
【０００４】（１）▲１▼▲２▼左右両端に書類止めのクリップを取り付ける事によりすべての書類を左綴じ、右綴じ閲覧が出来るように前述の欠点を解決しようとするものである。
（２）現在の回覧板には▲３▼書類ポケットはなく、回覧板右側面にビニールの書類ポケットを取り付け用紙の出し入れができるようにして町民の皆さんからの意見・相談等をポケットに入れるよう設置した。
【手続補正３】
【補正対象書類名】明細書
【補正対象項目名】０００５
【補正方法】変更
【補正の内容】
【０００５】  上述のように本参考の回覧板・書類を挟み込むクリップを▲１▼▲２▼２箇所及び右側板に書類ポケットを設けたので、すべての書類が、そのまま閲覧でき、特に高齢者が多くなる今日、悩みや色んな相談も気軽に▲３▼書類ポケットに入れて、安心して生活できる両開き回覧板にした。
【手続補正４】
【補正対象書類名】図面
【補正対象項目名】図２
【補正方法】変更
【補正の内容】
【図２】
0003226951.tif 000006
(57)【要約】      （修正有）【課題】多くの開閉弁や逆止弁等を不要とし、簡単な気体室と流路と呼吸孔の形成により蒸れの無い、従って臭気の無い靴内環境を維持して快適な歩行や運動を可能にすると共にソール全体の脆弱化も防止し、水や砂・小石の侵入を防止することにより屋内外の使用を可能にして足の健康、ひいては人の健康に繋がる素敵な呼吸する靴を提供する。【解決手段】靴底のヒール１０１又はヒールとソール内に空間１０２を拡縮可能に設け、空間は上部に靴内に連通する呼吸孔１０７に連通し、トウ部１００又は側部に設けた呼吸孔１０５に連通して呼吸する靴であり、空間は、靴底のヒール（踵部分）又はヒールとインソール内に設けられる。【選択図】図１
0003226954.tif 000002
【実用新案登録請求の範囲】
【請求項１】
靴底内に空間を拡縮可能に設け、前記空間は上部に靴内に連通する呼吸孔を設けると共に側部に外気に連通する呼吸孔を設けたことを特徴とする呼吸する靴。
【請求項２】
前記空間は、靴底のヒール（踵部分）又はアウトソールとアッパーとの間に設けることを特徴とする請求項１に記載の呼吸する靴。
【考案の詳細な説明】
【技術分野】
【０００１】  本考案は、簡単な構成で通気性の良い蒸れない呼吸する靴に関するものである。
【背景技術】
【０００２】  一般のシューズ、スポーツシューズ等の靴の構造は、ほとんどの靴がソールとヒールが一体になった底をもっています。一体型のソールは足の裏の自然なカーブを下から支えると共に、弾力のある発泡素材の採用で着地から蹴り上げまでの衝撃を緩和するようにできています。発泡素材は比較的磨耗に弱いため、ランニングシューズなどのスポーツシューズに使われている３層構造（硬度の違う種類の発泡ゴムスポンジとグリップの良いゴムのアウトソールの組み合わせ）を採用している革靴もある。【０００３】  直立２足歩行をするための『快適な環境』を作ることが実用面を重視した靴には求められ。快適に歩き、走り、作業することのできる靴には、安定性、屈曲性、クッション性、保温性、通気性、路面把握性など様々な機能が要求される。【０００４】  そこで本考案者は、特に通気性を重視しているが、従来は、靴のアッパー内の上ソールからアウトソールに貫通する空気抜き孔を設けたスポーツシューズが存在する。これは空気抜き孔の散在によりソール全体が脆弱化すること、及び浸水や砂・小石が入るため屋内使用に限定される嫌いがある。
【考案の概要】
【考案が解決しようとする課題】
【０００５】  本考案は、多くの開閉弁や逆止弁等を不要とし、簡単な気体室と流路と呼吸孔の形成により蒸れの無い、従って臭気の無い靴内環境を維持して快適な歩行や運動を可能にすると共にソール全体の脆弱化も防止し、水や砂・小石の侵入を防止することにより屋内外の使用を可能にして足の健康、ひいては人の健康に繋がる素敵な靴を提供する。
【課題を解決するための手段】
【０００６】  上記課題を満足させる本考案の呼吸する靴における主な技術構成は、次の（１）〜（２）の通りである。
（１）、靴底内に空間を拡縮可能に設け、前記空間は上部に靴内に連通する呼吸孔を設けると共に側部に外気に連通する呼吸孔を設けたことを特徴とする呼吸する靴。
（２）、前記空間は、靴底のヒール（踵部分）又はヒールとインソール内に設けることを特徴とする前記（１）に記載の呼吸する靴。
【考案の効果】
【０００７】  本考案における前記空間部は、靴を履いた人の歩行又は走行中における着地・着床により弾性変形して収縮して前記呼吸孔から空間内の気体を排出し、離地・離床の際の蹴り上げにより復元拡張して前記呼吸孔から靴内の空気を吸引することを歩行又は走行中に自動的に繰り返すポンプ機能を保持するものである。
このため、本考案の呼吸する靴は、多くの開閉弁や逆止弁等を不要とし、簡単な気体室と連通流路と呼吸孔の形成により蒸れの無い、従って臭気の無い靴内環境を維持して快適な歩行や運動を可能にすると共にソール全体の脆弱化も防止し、水や砂・小石の侵入を防止することにより屋内外の使用を可能にして足の健康、ひいては人の健康に繋がる素敵な靴である。
【図面の簡単な説明】
【０００８】
【図１】本考案の実施例１の靴の側面斜視図の下部縦断面図である。
【図２】本考案の実施例２の靴の側面斜視図の下部縦断面図である。
【考案を実施するための形態】
【０００９】  考案を実施するための形態を図１〜図２に示す実施例により詳細に説明する。
【実施例１】
【００１０】  図１に実施例１を紹介する。本例の呼吸する靴１００は、靴のヒール１０１（踵部分）内に空間１０２を拡縮可能に設けた例である。
前記空間１０２は連通孔１０３を介してトウ部１０４及び靴底の側部に設けた呼吸孔１０５に連通する。
前記空間１０２と連通孔１０３は、上部に靴のアッパー１０６内に連通する呼吸孔１０７を設けてある。
これで、靴１００を履いた人の歩行又は走行中におけるヒール１０１の着地・着床により前記空間１０２は弾性変形して収縮して前記呼吸孔１０５から空間１０２内の気体を排出し、離地・離礁（蹴り上げ）により復元拡張して前記呼吸孔１０７から靴内の空気を吸引し、一部前記呼吸孔１０５から外気を吸引することを繰り返すポンプ機能により靴内の臭気や湿気を排出し、次いで外気を吸引して靴内を清潔な環境に保持する。
１１０はシューレース：靴紐である。
【実施例２】
【００１１】  図２に実施例２を紹介する。本例の呼吸する靴２００は、靴のヒール２０１（踵部分）とミッドソール２０２（中底）内に連通して空間２０３を拡縮可能に設けた例である。
前記空間２０３は上部に靴のアッパー２０４内に連通する呼吸孔２０５を設け、トウ２０６部及び靴底の側部に呼吸孔２０７を設けてある。
これで、靴２００を履いた人の歩行又は走行中におけるヒール２０１とアウトソール２０７の着地・着床により前記空間２０３は弾性変形して収縮し、前記呼吸孔２０７から空間２０３内の気体を排出し、一部呼吸孔２０５から靴内に排出し、離地・離床（蹴り上げ）により復元拡張して前記呼吸孔２０７から靴内の空気を吸引し、一部前記呼吸孔２０７から外気を吸引することを繰り返すポンプ機能により靴内の臭気や湿気を排出し靴内を清潔な環境に保持する。
ミッドソール２０２はアウトソール２０８（ＯＵＴＳＯＬＥ：地面と接地する部分のソール）とアッパー２０４との間に挟まれているソールのことである。
２１０はシューレース：靴紐である。
【産業上の利用可能性】
【００１２】  本考案は、前述の効果及び各実施例に記載の構造で優れた作用効果を呈して一般社会人及び靴業界への寄与と発展に貢献すること多大なものがある。
【符号の説明】
【００１３】１００：靴
１０１：ヒール
１０２：靴底内の空間
１０３：連通孔
１０４：トウ部
１０５：上部の呼吸孔
１０６：アッパー
１０７：側部トウ部の呼吸孔
２００：靴
２０１：ヒール
２０２：ミッドソール
２０３：空間
２０４：アッパー
２０５：上部の呼吸孔
２０６：トウ
２０７：側部トウ部の呼吸孔
２０８：アウトソール
２１０：シューレース靴紐
【図１】
0003226954.tif 000003
【図２】
0003226954.tif 000004
(57)【要約】      （修正有）【課題】レピア織機のシルク表面幅調節可能な装置を提供する。【解決手段】連結ホルダ６が固定連結された、ボビンクリールを取り付けるためのボビンクリールベース１と、連結ホルダ６によって水平方向に沿ってボビンクリールベース１の上方に配置されたロングロッドと、ロングロッドに穿設されると共に、ロングロッドの径方向に沿って摺動可能な幅仕切り材４と、幅仕切り材４とロングロッドとを固定連結するためのファスナと、ボビンクリール連結ロッド７と、を備え、ボビンクリールがボビンクリール連結ロッド７によって幅仕切り材４に連結されている。当該レピア織機のシルク表面幅調節可能な装置は、元の仕切り装置において２本のロングロッドが取り付けられ、ロングロッドにおいて幅仕切り材が連結されていることにより、幅の要求に応じて、幅仕切り材がロングロッドの径方向に沿って往復移動することができ、幅を自在に調節できる。【選択図】図１
0003226950.tif 000002
【実用新案登録請求の範囲】
【請求項１】
連結ホルダが固定連結されたボビンクリールベースと、
前記連結ホルダによって水平方向に沿ってボビンクリールベースの上方に配置されたロングロッドと、
前記ロングロッドに穿設されると共に、ロングロッドの径方向に沿って摺動可能な幅仕切り材と、
幅仕切り材とロングロッドとを固定連結するためのファスナと、
ボビンクリール連結ロッドと、を備え、
ボビンクリールがボビンクリール連結ロッドによって幅仕切り材に連結されている、ことを特徴とするレピア織機のシルク表面幅調節可能な装置。
【請求項２】
前記連結ホルダは、板形材であり、
前記板形材の底部がボビンクリールベースに固定連結され、
板形材においてロングロッドが通過する穴が設けられ、
ロングロッドの一端が板形材における穴に穿設された後にファスナによって板形材に固定されている、ことを特徴とする請求項１に記載のレピア織機のシルク表面幅調節可能な装置。
【請求項３】
前記ロングロッドは、２本があり、２本のロングロッドは、互いに平行であるようにボビンクリールベースの上方に水平に設けられている、ことを特徴とする請求項１に記載のレピア織機のシルク表面幅調節可能な装置。
【請求項４】
前記ロングロッドは、ねじボルトであり、
前記ファスナは、ねじボルトと嵌合連結可能なナットである、ことを特徴とする請求項１に記載のレピア織機のシルク表面幅調節可能な装置。
【請求項５】
前記ねじボルトの長さは、５０ｃｍ以上である、ことを特徴とする請求項４に記載のレピア織機のシルク表面幅調節可能な装置。
【考案の詳細な説明】
【技術分野】
【０００１】
本考案は、レピア織機のシルク表面幅調節可能な装置に関し、レピア織機の分野に属する。
【背景技術】
【０００２】
現在、レピア織機は、最も広く適用されているシャトルレス織機であり、シャトルレス織機の速度が速く、自動化程度が高く、効率が高いという特徴を有する以外、その積極的な緯入れ態様が強い適応性を有するため、各種の糸の緯入れに適応することができる。レピア織機は、多色横編みの面でも明らかな優勢を有し、１６色までの横糸の織物を製織することができる。シャトルレス織機でシャトル織機を代替することに伴い、レピア織機は、主な製織モデルになっている。
【０００３】
従来のレピア織機は、幅２．８メートルのシングル幅であり、元の幅仕切り装置がボビンクリールベースの中間位置に固定連結されているので、元の幅仕切り装置を用いる場合、幅１．４メートルのシルクでしか製織することができない。
【考案の概要】
【０００４】
上記技術的問題に対して、本考案は、生産ニーズに応じて、幅を自在に調節し、異なる幅のシルク製品を製織することができるレピア織機のシルク表面幅調節可能な装置を提供する。
【０００５】
上記技術目的を達成するために、本考案は、以下の技術案を講じた。
【０００６】
レピア織機のシルク表面幅調節可能な装置であって、
連結ホルダが固定連結されたボビンクリールベースと、
前記連結ホルダによって水平方向に沿ってボビンクリールベースの上方に配置されたロングロッドと、
前記ロングロッドに穿設されると共に、ロングロッドの径方向に沿って摺動可能な幅仕切り材と、
幅仕切り材とロングロッドとを固定連結するためのファスナと、
ボビンクリール連結ロッドと、を備え、
ボビンクリールがボビンクリール連結ロッドによって幅仕切り材に連結されているレピア織機のシルク表面幅調節可能な装置。
【０００７】
前記連結ホルダは、板形材であり、前記板形材の底部がボビンクリールベースに固定連結され、板形材においてロングロッドが通過する穴が設けられ、ロングロッドの一端が板形材における穴に穿設された後にファスナによって板形材に固定されている。
【０００８】
前記ロングロッドは、２本があり、２本のロングロッドは、互いに平行であるようにボビンクリールベースの上方に水平に設けられている。
【０００９】
前記ロングロッドは、ねじボルトであり、前記ファスナは、ねじボルトと嵌合連結可能なナットである。
【００１０】
前記ねじボルトの長さは、５０ｃｍ以上である。
【００１１】
本考案の有益な効果は以下のとおりである。
【００１２】
本考案に係るレピア織機のシルク表面幅調節可能な装置は、２本のロングロッドが新たに設けられ、元の仕切り装置が２本のロングロッドに摺設されていることにより、幅の要求に応じて、幅仕切り装置がロングロッドの径方向に沿って往復移動することができ、生産ニーズに応じて、幅を自在に調節することができる。
【図面の簡単な説明】
【００１３】
【図１】本考案に係るレピア織機のシルク表面幅調節可能な装置の構造模式図である。
【図２】図１の平面図である。
【符号の説明】
【００１４】
１、ボビンクリールベース
２、ねじボルト
３、ナット
４、幅仕切り材
５、ボビン
６、連結ホルダ
７、ボビンクリール連結ロッド
【考案を実施するための形態】
【００１５】
以下、図面および具体的な実施形態を結び付けて、本考案に係るレピア織機のシルク表面幅調節可能な装置の技術案について詳細に説明する。
【００１６】
図１〜図２に示すように、レピア織機のシルク表面幅調節可能な装置は、ボビンクリールベース１および幅仕切り材４を備え、前記幅仕切り材４の上部がボビンクリール連結ロッド７に連結され、前記装置は、ボビンクリールベース１と幅仕切り材４との間に連結された幅調節機構をさらに備える。前記幅調節機構は、連結ホルダ６、ねじボルト２および複数のナットを備え、そのうち、前記連結ホルダ６の一端が前記ボビンクリールベース１に固定連結され、他端にねじボルト２が連結され、前記幅仕切り材４の底部においてねじボルト２が通過する穴が設けられ、幅仕切り材４の底部がねじボルト２に穿設された後にナットによってねじボルト２に固定連結されている。
【００１７】
本考案における実施形態としては、幅１２ｃｍ、長さ５０ｃｍの２本のねじボルトを幅仕切り材４に取り付けることにより、幅の要求に応じて、幅仕切り材４がねじボルトの径方向に沿って往復移動可能であり、生産ニーズに応じて幅を自在に調節することができる。
【図１】
0003226950.tif 000003
【図２】
0003226950.tif 000004
(57)【要約】      （修正有）【課題】被服本体に伸縮素材を三層縫合し、身体の動きに合わせた伸縮自在効果で負荷を軽減する三層構造伸縮被服を提供する。【解決手段】防寒被服の伸縮性を完全に補完するために、中綿に伸縮を有するマイクロ状態の捲縮中綿１と、表面伸縮素材２、裏面伸縮素材３を一体的に縫合することにより、身体にかかる負荷に対してリラクリゼーション効果を発生させることが可能になり、且つ長時間の運動動作に役立つ。【選択図】図１
0003226927.tif 000002
【実用新案登録請求の範囲】
【請求項１】
被服１において、被服１を構成する各パーツの縫合部分に伸縮素材をもちい、三層同時に一体的に縫合したことを特徴とする三層構造伸縮被服。
【考案の詳細な説明】
【技術分野】
【０００１】  本考案は、防寒被服を構成する各パーツ部分の伸縮素材を、一体的に三層縫合することにより、身体の動きに合わせた伸縮機能が負荷を軽減し、リラクリゼーションを促進する被服に関するものである。
【背景技術】
【０００２】  従来技術においては、防寒被服の構造部分である表面素材、中綿、裏地のうち表面素材のみに伸縮素材を縫合し、或いは内側の脇部分にパーツを取り付けるといった技術のものであって、捲縮中綿を一体的に三層縫合して伸縮を実施した形態が存在していなかった。
【考案の概要】
【考案が解決しようとする課題】
【０００３】  従来の技術によれば、表面素材の伸縮性のみを縫合したもの、又は内側脇部分に伸縮パーツを取り付けたもので、部分的な伸縮にとどまり、身体の動きに合わせた機能効果がなく、表面素材、中綿、裏地の全てが伸びる伸縮加工が課題となっていた。
【課題を解決するための手段】
【０００４】  前記の課題を解決するために、考案者は中綿を伸縮自在にすると、身体の動きに合わせた機能を発揮することが出来ると考え、特殊な捲縮中綿が存在していることに着目し、これらの捲縮中綿を、防寒被服を構成する各パーツを一体的縫合で、三層構造に各伸縮素材を配置し、もって課題である部分的や表面のみのストレッチ性を被服全体に持たせ運動機能をサポートすることにより、リラクリゼーション効果を発生させる手段を考案した。
【考案の効果】
【０００５】  本考案によれば、防寒被服を着脱するときや、動作時に被服全体が伸縮する三層機能構造により、従来のような部分伸縮だけでなく身体全体の負荷を軽減する効果がある。
【図面の簡単な説明】
【０００６】
【図１】本考案の三層構造の縫合の実施例を示す断面図である。
【図２】捲縮中綿のパーマネント状態を拡大してストレッチ性を示したものである。
【図３】パーツとして縫合する素材の伸縮性の方向形態を示したものである。
【考案を実施するための形態】
【０００７】  いわゆるダウンウエアーと称される、防寒被服は鳥の羽毛を使ったものであり、動物愛護の観点からも、衛生面からも、羽毛の中に混在するダニが有害物質となり、人体に対してアレルギー等の影響を及ぼすことから、これを避けて高機能中綿を使ったエコロジー防寒被服が評価されている。
縫合形態は、冬の外気温度から体をも守るために、嵩張った厚さが必須であるが、同時に動作に不都合になっていた。
本考案はこれらの問題を解決するための伸縮機能を有する開発手段。
【実施例】
【０００８】  本考案を実施例について説明すれば、１は防寒被服の三層構造の一体縫製部分、２は部分パーツ、３は伸自在加工４は部分的な伸縮５は捲縮中綿であって、三層構造を一体的に縫い込んだ状況を断面において示したものである。
【産業上の利用可能性】
【０００９】  本考案は、防寒被服を構成する各パーツ部分の伸縮素材を、一体的に三層縫合することにより、その伸縮機能が動作に合わせて負荷を軽減し、極寒での作業や運動にリラックス効果的作用が実現する。
【符号の説明】
【０００１０】１  捲縮中綿
２  表面生地
３  裏生地
４  縫い糸
５  捲縮中綿のマイクロパーマ状態を拡大
６  左斜め方向に伸縮
７  縦方向に伸縮
８  右斜め方向に伸縮
９  横方向に伸縮
【図１】
0003226927.tif 000003
【図２】
0003226927.tif 000004
【図３】
0003226927.tif 000005
【手続補正書】
【提出日】令和2年3月11日(2020.3.11)
【手続補正１】
【補正対象書類名】実用新案登録請求の範囲
【補正対象項目名】全文
【補正方法】変更
【補正の内容】
【実用新案登録請求の範囲】
【請求項１】
被服１において、被服１を構成する各パーツの縫合部分に伸縮素材をもちい、表素材、捲縮中綿、裏地素材を同時に一体的に縫合したことを特徴とする三層構造伸縮被服。
(57)【要約】      （修正有）【課題】不定型の棒をぐらつきなく結束できる結束具を提供する。【解決手段】三本の棒状体で３脚を形成するためのリング状の結束具であって、上面から見て１２０度で３方向に棒状体を嵌合し保持する保持部を結束対象の棒状体３本を挿入する空間と共に環状に配設する構成を備え、リング状内側中央部の中間通過部２と、その外側に円弧状に各１２０度で隣接する第一保持部と、第二保持部と、第三保持部とを有し、第一保持部と第二保持部と第三保持部と中間通過部とが互いに一体となった保持形態空間を持つ。【選択図】図２
0003226937.tif 000002
【実用新案登録請求の範囲】
【請求項１】
三本の棒状体で３脚を形成する結束具であって、上面から見て１２０度で３方向に棒状体を嵌合し該棒状体を保持する保持部を結束対象の棒状体３本有する空間と共に該各保持部を環状に配設する構成を備え、該保持部として、リング状内側に第一保持部と、該第一保持部に円弧１２０度隣接して配設する第二保持部と、円弧１２０度該隣接する第三保持部と環状に繋ぐ中央部に空間を有した中間通過部とを有し、上記第一保持部と第二保持部と第三保持部と中間通過部とを互いに一体となった保持形態空間を持つリング状の結束具。
【考案の詳細な説明】
【技術分野】
【０００１】本案件は、３本の棒状で三脚を結成する結束具に関する物である。
【背景技術】
【０００２】従来はでトライポッド三脚をロープなどで結束して作成していたが、ぐらつきの不具合や結び方の習得を必要としていた。
特許文献１での結束方法では、不可であった不形態の枝木や突起がある棒状態を結束ができなかった。
【先行技術文献】
【特許文献】
【０００３】
【特許文献１】特許第６０５０５３９号  公報
【非特許文献】
【０００４】
【非特許文献１】ｈｔｔｐ：／／ｂｅｌｍｏｎｔ．ｃｏ．ｊｐ／ｂｍ−１４２ｄｈ  トライポッドバンドル
【考案の概要】
【考案が解決しようとする課題】
【０００５】文献１では丸棒のみの結束で不定型の棒を結束できなかったが、リング状内側の空間の形状を利用する事により可能とした、従来は不定型の棒は三脚をロープなどで結束して作成していたが、ぐらつきの不具合や結び方の習得が必要である、枝などの不定型の棒では固定された３脚を形成することが出来ないという課題
【課題を解決するための手段】
【０００６】三本の棒状体で３脚を形成する結束具であって、上面から見て１２０度で３方向に棒状体を嵌合し該棒状体を保持する保持部を結束対象の棒状体３本有する空間と共に該各保持部を環状に配設する構成を備え、該保持部として、リング状内側に第一保持部と、該第一保持部に円弧１２０度隣接して配設する第二保持部と、円弧１２０度該隣接する第三保持部と環状に繋ぐ中央部に空間を有した中間通過部とを有し、上記第一保持部と第二保持部と第三保持部と中間通過部とを互いに一体となった保持形態空間を持つリング状の結束具。
【考案の効果】
【０００７】０００６でのリング内側の形状を考案したことにより、突起物のある棒状態の物を通す事が可能になり枝などで３脚を作る事が容易となった
【図面の簡単な説明】
【０００８】
【図１】本考案本体、上面よりの本考案実施の形態に係る結束具の平面図
【図２】本考案本体、斜めよりの本考案実施の形態に係る結束具の斜視図
【図３】本考案の実施例
【図４】本考案の実施例の結束部拡大図
【考案を実施する為の形態】
【０００９】結束具のリングの空間、図１の２に３本の棒状態の物を通して、棒状態を立て結束具を上面より見て時計回りや左回りさせながら棒状態を１２０度づつ開いて三脚を形成、キャンプなどでは枝木を使い３脚を形成して図１の３にチェーンなど通して鍋を結束して調理に使う、鍋や金網を設置して焚き火料理を作れる、トライポッド三脚作成後、穴にロープ類を通してランタンなど投光器を設置出来る、枝木のサイズ、角度の調整で、テントなどのフレームを作成する、原木枝や棒状の物でハンティングチェアーなどの脚を作れる。本考案を複数個同時使用しテントフレームを作れる。
【実施例】
【０００１０】図３キャンプなど野外使用における実施例である、【００１１】以下、添付図面に従って１実施例を説明する、図１の穴（１）に原木枝木３本を通してトライポッド三脚を形成して、図１の穴（３）にチェーンを通してトライポッド三脚の枝組みの中央部を通り鍋を結束してある。
【符号の説明】
【００１３】１  結束具
２  穴Ａ
３  穴Ｂ
４  内側上面角端部
５  内側下面角端部
６  原木枝木Ａ
７  原木枝木Ｂ
８  原木枝木Ｃ
９  チェーン
１０  鍋
【図１】
0003226937.tif 000003
【図２】
0003226937.tif 000004
【図３】
0003226937.tif 000005
【図４】
0003226937.tif 000006
(57)【要約】      （修正有）【課題】ブレーキペタルとアクセルペタルの踏み間違えを防止できる自動車用伝動式アクセル遮断装置を提供する。【解決手段】プラスチック製伝動式アクセル遮断板２とプラスチック製伝動式傾斜版３を硬ワイヤー４で接続し、アクセルペダル１の上面に取付け、伝動式アクセル遮断板の下側に戻し用の軽い重り６をつけた構造である。【選択図】図１
0003226904.tif 000002
【実用新案登録請求の範囲】
【請求項１】
プラスチック製伝動式アクセル遮断板（２）と
プラスチック製伝動式傾斜版（３）を硬ワイヤー（４）で
接続しアクセルペダル（１）の上面に取付
伝動式アクセル遮断板（２）の下側に
軽い重り（６）をつけた構造である
自動車用伝動式アクセル遮断装置
【考案の詳細な説明】
考案の詳細な説明
従来の構造では踏み間違えがおきてしまうため
改善しないかぎり事故を防ぐ事はできません
本考案は踏み間違えがおきない構造のため安全である
従来の構造とは違いブレーキペダルから
右側のアクセルペダルを踏み込む事は
伝動式アクセル遮断板があるためできません
本考案を図面で説明すると
プラスチック制伝動式アクセル遮断板（２）の横の
穴（５）に片側を折り曲げた硬ワイヤー（４）を通し
プラスチック制傾斜板（３）の横の穴（５）に折り曲げた
硬ワイヤー（４）を差込みネジ（７）または結束バンド
（８）で取付伝動式アクセル遮断板（２）の下側に
伝動戻し用軽い重り（６）をつけた構造である
【図面の簡単な説明】
【図１】は本考案の吊型側面図
【図２】は本考案の固定側面図
【図３】は本考案の側面図
【図４】は本考案の平面図
【符号の説明】（１）はアクセルペダル
（２）は伝動式アクセル遮断板
（３）は伝動式遮断板接続用傾斜板
（４）は片側を折り曲げた硬ワイヤー
（５）は接続用穴
（６）は伝動用戻し軽い重り
（７）は取り付け用ネジ
（８）は取り付け用結束バンド
【図１】
0003226904.tif 000003
【図２】
0003226904.tif 000004
【図３】
0003226904.tif 000005
【図４】
0003226904.tif 000006